(57)【要約】      （修正有）【課題】開閉可能な挟持部にポリ袋を装着することにより、不快感を感ずることなく衛生的に犬糞を処理できる用具を提供する。【解決手段】適宜長の筒体１を設け、該筒体内にその両端を挿入位置させた線材を設け、該線材の一部をスプリング状に螺旋形成するとともに該螺旋部分内に前記筒体を位置させ、螺旋部に連続するとともに該螺旋部より離れて湾曲形成されて前記筒体内に戻る線材端を有する上部挟持部５および下部挟持部６とを設け、各挟持部に各々架設される押圧部７，８を設ける。これにより、この押圧部に対する押圧力にて各挟持部相互の接近と非接近を選択できるとともに、非押圧時には螺旋部の復帰弾力にて各挟持部相互の非接近状態を維持できる。【選択図】図２
0003173792.tif 000002
【実用新案登録請求の範囲】
【請求項１】
適宜長の筒体を設け、該筒体内にその両端を挿入位置させた線材を設け、該線材の一部をスプリング状に螺旋形成するとともに該螺旋部分内に前記筒体を位置させ、螺旋部に連続するとともに該螺旋部より離れて湾曲形成されて前記筒体内に戻る線材端を有する上部挟持部および下部挟持部とを設け、各挟持部に各々架設される押圧部を設けることにて、この押圧部に対する押圧力にて各挟持部相互の接近と非接近を選択できるとともに、非押圧時には螺旋部の復帰弾力にて各挟持部相互の非接近状態を維持できるよう構成したことを特徴とする犬糞取り具。
【請求項２】
筒体内両端に、線材端の挿入保持のための保持筒を設けてなる請求項１記載の犬糞取り具。
【考案の詳細な説明】
【技術分野】
【０００１】  この考案は、地上に落下した犬糞を衛生的に除去するための用具に関する。
【背景技術】
【０００２】  従来より、犬糞処理は行われているが、本案に示すような犬糞取り具は見あたらない。
【考案の開示】
【考案が解決しようとする課題】
【０００３】  ペットを飼っている場合において、その排泄物処理は必須事項である。小鳥のようにケージ内で飼育する動物の排せつはケージ内でなされるが、犬においては散歩途中での排泄行為も頻繁に行われている。飼い主は通常、ポリ袋等を所持して、犬の排泄にて地上に落下した糞に対する処理を行っている。一般的には、ポリ袋を手にかぶせ、糞をつまみ上げてから袋を裏返すように糞を中に入れて処理をしている。しかし、この作業時において、犬糞の温度や触感が直に手に伝わるため、不快感を我慢して作業する人も多く、より簡便かつ衛生的に処理する手段が望まれているのが現状である。
本案は、以上に鑑み、犬糞処理時に有効なる用具を提供することを目的として考案されたものである。
【課題を解決するための手段】
【０００４】  課題を解決する手段として本案は以下の構成とした。
すなわち、適宜長の筒体を設け、該筒体内にその両端を挿入位置させた線材を設け、該線材の一部をスプリング状に螺旋形成するとともに該螺旋部分内に前記筒体を位置させ、螺旋部に連続するとともに該螺旋部より離れて湾曲形成されて前記筒体内に戻る線材端を有する上部挟持部および下部挟持部とを設け、各挟持部に各々架設される押圧部を設けることにて、この押圧部に対する押圧力にて各挟持部相互の接近と非接近を選択できるとともに、非押圧時には螺旋部の復帰弾力にて各挟持部相互の非接近状態を維持できるよう構成する。本案は以上の構成よりなる犬糞取り具である。
【考案の効果】
【０００５】  本案によれば、開閉可能なる挟持部にポリ袋を装着することにて、犬糞に直に触れずにその感触も感知することなく簡便かつ衛生的に処理することのできる有用なる用具を得ることができる。また、構造シンプルにして安価に制作できるとともに、適宜なケースを併用することにて携帯性にも適した用具を得ることができる。
【考案を実施するための最良の形態】
【０００６】  以下、本考案の実施形態について説明する。
図において、１は金属管による主筒で、その両端内部には中心に小孔を有する短筒による保持体２が挿入固着されている。３は開閉体である。この開閉体は所定長の針金を折曲形成して設けられる。
該開閉体の一部はスパイラル状に折曲されたスプリング部４を有し、このスプリング部内には前記の主筒が位置する。スプリング部端にて主筒上方の開閉体個所は主筒から離れて上方へ向かい、弧形状に折曲されて上部挟持部５を形成し、再び主筒に近づいて、略直角に折曲されて保持筒内に挿入保持される。一方、スプリング部端の他方は主筒下方から主筒を離れて下方へ向かい、弧形状に折曲されて上部挟持部同様の下部挟持部６を形成し、再び主筒に近づいて、略直角に折曲されて他方の保持筒内に挿入保持される。
以上の開閉体は、１本の針金の折曲にて形成され、スプリング部から上部挟持部へ至る途中は側面視にて鈍角に折曲され、これは下部挟持部についても同様である。７および８は押圧部で、各挟持部と同一素材にて挟持部に架設される湾曲部材である。【０００７】  次に、本案の使用について説明する。本案使用に際しては市販のポリ袋を併用する。
本案開閉体に、図４のごとくポリ袋をかぶせ、開閉体間部分を中に入れ込ませて、下部挟持部の個所のポリ袋を下に少しくぼませる。図５のごとく手に持ち、指で双方の押圧体を押圧する。この押圧にて開閉体は、スプリング部の弾性復帰力に逆らって双方の挟持部は接近する。地上に落下した犬糞を双方の挟持部先端で挟んでつまみ上げ、このまま開閉体先を上方に向けると、図４のように、ポリ袋の窪み部分に犬糞を位置させることができる。複数個の犬糞を処理するときは、このまま開閉体を再び図５の状態にして前記の作業を繰り返してすべての犬糞をポリ袋の窪み内に収納することができる。
収納した後は、このままポリ袋を裏返して袋内に犬糞を収納し、口を縛って廃棄することができる。図４のようにポリ袋に窪みを設けているので、犬糞を１個収納した後に、次の犬糞を処理するために開閉体を図５のように下方に向けても、収納されている犬糞は下部挟持部の輪部分に妨げられて落下することはない。
以上の作業において、手指は犬糞と離れており、従来手段のように犬糞の温度や感触を感じることなく、衛生的に作業を進めることができる。また、本案では挟持部中間を鈍角に折曲しているので、開閉体を閉じる初期の角度を大きく取ることができて、操作しやすいものとなっている。【０００８】  以上、本案について記したが、本案は開閉体とポリ袋を組み合わせて用いるところにその特徴を有するものである。従来は既述のように、ポリ袋のみを用いて犬糞処理を行っていたために、つまみ上げるときに犬糞の温度や感触が指に伝わり、不快感を感じながら作業を行わねばならなかった。しかし、本案では既述のように、従来法と異なる処理方式のために、既述の問題をクリヤーする手段を得ることとなったのである。
なお、記述例においては、金属管体と金属線材を用いて構成したが、合成樹脂その他の素材を用いて構成してもよい。また、押圧部を挟持部と同一素材の金属線としたが、小平板状の部材を用いてもよい。本案品はスプリング部の弾力にて非押圧時は図３のごとく開いた状態を保持することとなるため、一方の押圧部にかぎ型のフックを設けて、このフックを他方の押圧部に係合させて、非使用時に双方の挟持部間を接近させてコンパクトにして携帯してもよい。あるいは、本案品を収納できる袋体を設けて、不使用時に本案品をコンパクトにして収納し、かつ、ポリ袋収納用のポケットを設けることにすれば、本案品の携帯運搬に便利なものとなる。なお、既述例にて示した保持体使用にて開閉体の安定保持ができるが、保持体を使用せずとも本案の利用は可能である。また、本案品は犬糞以外の他物品の処理にも役立つものと思われる。
以上のごとく、本案によって犬糞等の処理に有用なる物品を得ることができる。
【図面の簡単な説明】
【０００９】
【図１】  本考案の平面図
【図２】  本考案の正面図
【図３】  本考案の右側面図
【図４】  本考案の使用説明図
【図５】  本考案の使用説明図
【符号の説明】
【００１０】  １  主筒
２  保持体
３  開閉体
４  スプリング部
５  上部挟持部
６  下部挟持部
７  上部押圧部
８  下部押圧部
９  ポリ袋
１０  犬糞
【図１】
0003173792.tif 000003
【図２】
0003173792.tif 000004
【図３】
0003173792.tif 000005
【図４】
0003173792.tif 000006
【図５】
0003173792.tif 000007